(57)【要約】【課題】医薬品の包装体内に自動包装機によって挿入する際に、個別の紙片がバラバラにならずに確実に装着可能な紙片束セットを提供する。【解決手段】この紙片束セットは、表面に医薬品に関する情報が印刷され、裏面の一端側に剥離可能な粘着部を有する紙片が、複数枚重ねられて紙片束を構成し、該紙片束が平面的に複数並んで配置されており、複数の前記紙片束の粘着部同士が、前記紙片束セットの一側辺側に連続するように配置されている。【選択図】図１
2015155152.tif 000002
【特許請求の範囲】
【請求項１】
表面に医薬品に関する情報が印刷され、裏面の一端側に剥離可能な粘着部を有する紙片が、複数枚重ねられて紙片束を構成し、該紙片束が平面的に複数並んで配置されており、前記医薬品の包装体内に自動包装機によって挿入される紙片束セットであって、
複数の前記紙片束の粘着部同士が、前記紙片束セットの一側辺側に連続するように配置されていることを特徴とする紙片束セット。
【請求項２】
台紙上に複数の前記紙片束が配置されて一体化されている請求項１に記載の紙片束セット。
【請求項３】
隣接する前記紙片束同士が仮接合されて一体化されている請求項１又は２に記載の紙片束セット。
【請求項４】
前記粘着部が、パターン形成された粘着剤によって構成されている請求項１から３のいずれかに記載の紙片束セット。
【請求項５】
前記パターンを構成する要素が菱形である請求項１から４のいずれかに記載の紙片束セット。
【発明の詳細な説明】
【技術分野】
【０００１】
本発明は、医薬品包装体内に自動包装によって挿入される、医薬品に関する情報が印刷されている紙片束セットに関する。
【背景技術】
【０００２】
従来より、医薬品に関する情報、例えば、医薬品の表示変更に関するお知らせや、服薬方法などが印刷されている、いわゆる「お知らせカード」や「服薬指導箋」などの矩形形状の小紙片が知られている。
【０００３】
図７には、従来の「お知らせカード」の束である紙片束の一例が示されている。この紙片束２００は、複数の矩形形状の紙片２１０が重なって束となっており、それぞれの紙片２１０の表面には医薬品の情報２１１が記載されている（図７（ａ））。さらに、紙片束２００の一背面である背面２２０には糊部２３０が背面全体に塗布形成されており（図７（ｂ）、この背面２２０上の糊部２３０によって、紙片２１０同士が仮着されてバラバラになることを防止している。
【０００４】
図８や図９に示すように、紙片束２００は、医薬品包装工程の一部を構成する紙片束自動供給装置２５０によってピロー包装体２５２の上に自動供給される。図８で具体的に例示すると、紙片束２００は、矢印の方向に移動するバケットコンベア２５１に対して、ラック２５３内にスタッキングされている紙片束２００が、ベルトフィーダ２５４を介して供給される。なお、図９においては、ベルトフィーダ２５４の代わりに吸引フィーダ２５５を介して供給する構成になっている。そして、この後、バケットコンベア２５１内に配置された、ピロー包装体２５２及び紙片束２００は、図示しない紙箱などの外装容器内に挿入されて密封され、医薬品包装体が完成する。
【０００５】
ここで、従来の紙片束２００は、上記のように背面２２０上の糊部２３０によって、紙片２１０同士が仮着されているのみである。このため、仮着が弱く、図８のベルトフィード２５４付近の拡大図である図１０に示すように、フィード時にベルト同士のせん断力によって、それぞれの紙片２１０がバラバラになってしまい、紙片束２００のままピロー包装体２５２の上に自動供給できないという問題があった。また、同様に、図９の吸引フィード２５５付近の拡大図である図１１に示すように、同じく吸引フィードによっても、フィード時にそれぞれの紙片２１０が浮いてバラバラになってしまい、紙片束２００のままピロー包装体２５２の上に自動供給できないという問題があった。
【０００６】
また、背面に糊部を形成する天糊タイプでは、糊が紙片束２００外側面に露出して形成される。このため、フィーダ部に糊が付着して溜まり、バケット内に落下して内容物である医薬品のピロー包装体に付着する恐れもある。
【０００７】
このように、従来の、紙片束２００は、高速包装ラインに適用するには不十分であり、供給安定性の点から更なる改善があった。
【０００８】
なお、用途が異なるが同様の形態の紙片束としては、いわゆる付箋紙が重ねられた付箋紙束があり、例えば下記の特許文献１には、書類の外縁に直近する色や数字を利用して当該書類Ｐの内容を分類することに利用される付箋紙として、付箋紙を構成する各紙片１１の少なくとも表面側を長手方向に区分し、各区分Ｓ１〜Ｓ６には、色や番号等が印刷されており、紙片の一端側裏面Ｓに設けられた感圧性接着層を介して書類等に貼付される付箋紙束が開示されている。
【先行技術文献】
【特許文献】
【０００９】
【特許文献１】特開２００１−１８０１７１号公報
【発明の概要】
【発明が解決しようとする課題】
【００１０】
しかし、特許文献１に開示されている付箋紙束は、用途が全く異なる単なる仕切りのための付箋であり、上記の紙片束２００のように、医薬品の自動包装ライン中で、紙片束２００をフィードして挿入配置されることは想定されていないので、そもそも紙片がバラバラになるという課題は存在しない。
【００１１】
本発明は、上記の課題、すなわち、高速包装ラインに連続的に安定供給できる紙片束セットを提供することを目的とする。
【課題を解決するための手段】
【００１２】
本発明者らは、糊部の形成位置と、付箋紙束の配置について着目して鋭意検討した結果、上記の課題を解決できることを見出し、本発明を完成するに至った。具体的には、本発明は以下のものを提供する。
【００１３】
（１）表面に医薬品に関する情報が印刷され、裏面の一端側に剥離可能な粘着部を有する紙片が、複数枚重ねられて紙片束を構成し、該紙片束が平面的に複数並んで配置されており、前記医薬品の包装体内に自動包装機によって挿入される紙片束セットであって、
複数の前記紙片束の粘着部同士が、前記紙片束セットの一側辺側に連続するように配置されていることを特徴とする紙片束セット。
【００１４】
（２）  台紙上に複数の前記紙片束が配置されて一体化されている（１）に記載の紙片束セット。
【００１５】
（３）  隣接する前記紙片束同士が仮接合されて一体化されている（１）又は（２）に記載の紙片束セット。
【００１６】
（４）  前記粘着部が、パターン形成された粘着剤によって構成されている（１）から（３）のいずれかに記載の紙片束セット。
【００１７】
（５）  前記パターンを構成する要素が菱形である（１）から（４）のいずれかに記載の紙片束セット。
【発明の効果】
【００１８】
本発明によれば、上記の課題を解決し、高速包装ラインに連続的に安定供給できる紙片束セットを提供できる。
【図面の簡単な説明】
【００１９】
【図１】本発明の紙片束セットの一実施形態を示す概略斜視図である。
【図２】図１の（ａ）Ａ方向から見た側面図、（ｂ）平面図である。
【図３】図１のＢ方向から見た正面図である。
【図４】図１の紙片列を裏面から見た粘着部のパターンを示す図である。
【図５】本発明の紙片束セットの他の実施形態を示す概略斜視図である。
【図６】本発明の紙片束セットを使用した医薬品包装体の一例を示す概略斜視図である。
【図７】従来の紙片束を示す概略斜視図である。
【図８】ベルトフィーダによって紙片束を供給する状態示す概略図である。
【図９】吸引フィーダによって紙片束を供給する状態示す概略図である。
【図１０】図８におけるベルトフィーダ付近の拡大図である。
【図１１】図９における吸引フィーダ付近の拡大図である。
【発明を実施するための形態】
【００２０】
以下、本発明の紙片束セットの好ましい一実施形態について、図面を参照しながら詳細に説明する。
【００２１】
＜紙片束セット＞
図１から図３に示すように、この紙片束セット１００は、複数の矩形形状の紙片１１０が複数毎（この実施形態では１０枚）重なって紙片束１２０を構成し、更に、矩形長辺同士が連設配置されることにより矩形短辺方向に複数の紙片束１２０が平面的に連続配置されており、この実施形態においては５連式の紙片束セット１００を構成している。紙片束１２０を構成する紙片１１０の枚数は特に限定されない。また、紙片束１２０を平面的に配置する数についても特に限定されない。
【００２２】
そして、この実施形態においては、５連式の紙片束セット１００の最下部には台紙１３０が配置されており、これにより５連式の紙片束セット１００が台紙１３０上で一体化されている。台紙１３０は特に限定されず、従来公知の紙台紙などが使用できる。
【００２３】
それぞれの紙片１１０の表面には、上記のように、例えば、医薬品の表示変更に関するお知らせや、服薬方法などの情報１１１が印刷されている。
【００２４】
本発明においては、紙片束１１０を平面的に複数並んで配置させることで、紙片束セット１００の厚さを減じることができる。例えば５連式とすることで１／５に厚さを減じることができる。このことは、後述する医薬品包装体内に紙片束セット１００を挿入するにあたって挿入スペースが小さくなるので極めて有利な効果である。
【００２５】
また、後述するように、裏面の一端側に粘着部を形成することで、粘着部の厚さによって一端側が厚くなってしまうので、自動包装機ラインにおいて紙片束セット１００を供給する際に、他短側の紙片１１０が浮いてバラバラになり易くなるが、この問題も紙片束１１０を平面的に複数並んで配置させて紙片束セット１００の厚さを減じることで回避することができる。
【００２６】
＜粘着部＞
次に、図３と図４を参照しながら粘着部１４０について説明する。粘着部１４０は、それぞれの紙片１１０の矩形形状の長手方向の一端側の裏面に、幅Ｗ、長さＬ２で複数の非紙片１１０に渡って連続的に形成されている。粘着剤としては、塗布形成が容易な従来公知の水性エマルジョン糊などを用いることができ特に限定されない。粘着剤の塗布量としては３から４ｇ／ｍ２であることが好ましい。なお、本発明における粘着とは、低強度の接着も含む概念である。
【００２７】
図３と図４における幅Ｗは、矩形形状の長手方向Ｌに対しするＷ／Ｌで１２％以上５０％以下であることが好ましい。１２％未満であると粘着力が不十分で、自動包装機ラインにおいて紙片束セット１００を供給する際に、紙片１１０がバラバラになり易くなる。一方、５０％を越えると粘着力が高すぎて使用の際に一枚づつ剥がれ難くなる。
【００２８】
図４に示すように、粘着部１４０は粘着剤の全面塗布ではなく、粘着パターン１４１のようにパターン形成されていることが好ましい。これにより、粘着力の調整が容易になるので好ましい。粘着パターン１４１としては各種形状やストライプなどが選択できるが、なかでも剥離方向（Ｌ１の方向）において剥離のきっかけとなる部位に角部を有する形状、具体的には菱形形状が特に好ましく用いられる。これにより、剥離の際の初期抵抗を下げることができ、剥離強度の調整が更に容易になる。
【００２９】
なお、粘着部１４０は、それぞれの紙片１１０の矩形形状の外周辺にかからないようにパターン形成されていることが好ましい。これにより、粘着剤が紙片束セット１００外に全く露出しないので、フィーダ部に糊が付着して溜まり、バケット内に落下して内容物である医薬品のピロー包装体に付着することを効果的に防止できる。
【００３０】
本発明においては、紙片束の１１０の裏面の一端側に剥離可能な粘着部を有することで、図７のような従来の背面への天糊方式に比べて、自動包装機ラインにおいて紙片束セット１００を供給する際に、紙片１１０が浮いてバラバラになることを効果的に防止できる。
【００３１】
＜他の実施形態＞
図５は本発明の他の実施形態を示す一例である。この紙片束セット３００は、複数の矩形形状の紙片３１０が複数毎重なって紙片束３２０を構成し、更に、矩形長辺同士が連設配置されることにより矩形短辺方向に複数の紙片束３２０が平面的に連続配置されている点は上記の実施形態と同様であるが、台紙１３０に相当する部材はなく、隣り合う紙片束３２０同士が、複数個所（この実施形態では３箇所）の連結部３１２によって５連式を形成している。連結部は隣り合う紙片束３２０同士を切断する際に、未切断部として一部を残すことにより形成できる。このように、本発明においては必ずしも台紙１３０は必要なくてもよい。
【００３２】
＜医薬品包装体＞
図８から図１１で説明したような自動包装ラインに、本発明の紙片束セット１００や３００を適用し、医薬品包装工程の一部を構成する紙片束自動供給装置２５０によって、医薬品のピロー包装体２５２の上に自動供給し、この後、バケットコンベア２５１内に配置された、ピロー包装体２５２及び紙片束セット１００（３００）は、紙箱５１０などの外装容器内に挿入されて密封され、医薬品包装体５００が完成する。
【００３３】
ここで、本発明の紙片束セット１００（３００）は、供給時に紙片がバラバラになることがなく、また、平面的で薄いので紙箱内に挿入し易く、挿入スペースも小さくて済むという従来の紙片束にはない優れた効果を奏するものである。
【符号の説明】
【００３４】
１００  紙片束セット
１１０  紙片
１１１  情報
１２０  紙片束
１３０  台紙
１４０  粘着部
１４１  粘着パターン
２５２  医薬品のピロー包装体
５００  医薬品包装体
５１０  紙箱（外装容器）
【図１】
2015155152.tif 000003
【図２】
2015155152.tif 000004
【図３】
2015155152.tif 000005
【図４】
2015155152.tif 000006
【図５】
2015155152.tif 000007
【図６】
2015155152.tif 000008
【図７】
2015155152.tif 000009
【図８】
2015155152.tif 000010
【図９】
2015155152.tif 000011
【図１０】
2015155152.tif 000012
【図１１】
2015155152.tif 000013